【手続補正書】
【提出日】平成28年11月14日(2016.11.14)
【手続補正１】
【補正対象書類名】特許請求の範囲
【補正対象項目名】全文
【補正方法】変更
【補正の内容】
【特許請求の範囲】
【請求項１】
哺乳類患者に植え込むための抗生物質溶出性物品であって、押出成形ベースの添加製造方法によって製造され、抗生組成物が、ポリマー材料とともに、敷設されている抗生物質溶出性物品。
【請求項２】
前記ポリマー材料が、ポリ（メチルメタクリレート）、アクリロニトリルブタジエンスチレン、ポリカーボネート、アクリロニトリルブタジエンスチレンとポリカーボネートとのブレンド物、ポリエーテルエーテルケトン、ポリエチレン、ポリアミド、ポリ乳酸、ポリフェニルスルホン、ポリスチレン、ナイロン、メチルメタクリレート、ポリラクチド、ポリグリコリド、ポリカプロラクトン、ポリ酸無水物、ポリアミン、ポリウレタン、ポリエステルアミド、ポリオルトエステル、ポリジオキサノン、ポリアセタール、ポリケタール、ポリカーボネート、ポリオルトカーボネート、ポリホスファゼン、スクシナート、ポリ（リンゴ酸）、ポリ（アミノ酸）、ポリビニルピロリドン、ポリエチレングリコール、ポリヒドロキシセルロース、多糖、キチン、キトサン並びにこれらのコポリマー、ブロックコポリマー、マルチブロックコポリマー、ポリエチレングリコール（ＰＥＧ）とのマルチブロックコポリマー、ポリオール、ターポリマー及びそれらの混合物からなる群から選択される、請求項１に記載の物品。
【請求項３】
前記抗生組成物が、アミノグリコシド、アゾール、β−ラクタム系抗生物質、β−ラクタマーゼ阻害剤、セファロスポリン、クロラムフェニコール、クリンダマイシン、フシジン酸、グリコペプチド、マクロライド、メトロニダゾール、ムピロシン、ペニシリン、ポリエン、キノロン、リファマイシン、スルホンアミド、テトラサイクリン及びこれらの組み合わせの１つを含む、請求項１に記載の物品。
【請求項４】
前記抗生組成物が、トブラマイシン及び／又はゲンタマイシン及び／又はバンコマイシンを含む、請求項１に記載の物品。
【請求項５】
殺生物性組成物を含む外方コートが設けられている、請求項１に記載の物品。
【請求項６】
前記殺生物性組成物が、銀ナノ粒子、亜鉛ピリチオン及びカチオン性ポリマー殺生物剤の１種以上を含む、請求項５に記載の物品。
【請求項７】
整形外科用骨格コンポーネントである、請求項１に記載の物品。
【請求項８】
骨成長促進組成物が、前記ポリマー材料及び前記抗生組成物と同時に堆積されている、請求項７に記載の物品。
【請求項９】
前記骨成長促進組成物が、ヒアルロン酸、β−ＴＣＰ組成物、Ｗｎｔシグナル経路を調節するためのＳＯＳＴアンタゴニスト、Ｗｎｔシグナル経路を調節するためのＷｉｓｅアンタゴニスト、Ｗｎｔシグナル経路を調節するためのＬＲＰアンタゴニスト、（３−（（（４−ｔｅｒｔ−ブチル−ベンジル）−（ピリジン−３−スルホニル）−アミノ）−メチル）−フェノキシ）−酢酸及びその類似体、７−［（４−ブチル−ベンジル）−メタンスルホニル−アミノ］−ヘプタン酸及びその類似体、７−｛［２−（３，５−ジクロロ−フェノキシル）−エチル］−メタンスルホニル−アミノ｝−ヘプタン酸及びその類似体、並びに３−ベンゾチエピン誘導体の１つを含む、請求項８に記載の物品。
【請求項１０】
骨成長促進組成物を含む外方コートが設けられている、請求項７に記載の物品。
【請求項１１】
前記骨成長促進組成物が、ヒアルロン酸、β−ＴＣＰ組成物、Ｗｎｔシグナル経路を調節するためのＳＯＳＴアンタゴニスト、Ｗｎｔシグナル経路を調節するためのＷｉｓｅアンタゴニスト、Ｗｎｔシグナル経路を調節するためのＬＲＰアンタゴニスト、（３−（（（４−ｔｅｒｔ−ブチル−ベンジル）−（ピリジン−３−スルホニル）−アミノ）−メチル）−フェノキシ）−酢酸及びその類似体、７−［（４−ブチル−ベンジル）−メタンスルホニル−アミノ］−ヘプタン酸及びその類似体、７−｛［２−（３，５−ジクロロ−フェノキシル）−エチル］−メタンスルホニル−アミノ｝−ヘプタン酸及びその類似体、並びに３−ベンゾチエピン誘導体の１つを含む、請求項１０に記載の物品。
【請求項１２】
整形外科用の関節置換コンポーネントである、請求項７に記載の物品。
【請求項１３】
植え込み型デバイスのための外部ハードシェルケーシングである、請求項１に記載の物品。
【請求項１４】
前記外部ハードシェルケーシングが、心臓ペースメーカー、脊髄刺激装置、神経刺激システム、薬物を脊髄液に送達するためのくも膜下腔薬剤ポンプ、化学療法薬及び／又は鎮痙剤を送達するための注入ポンプ、インスリンポンプ、浸透圧ポンプ並びにヘパリンポンプの１つのためのケーシングである、請求項１３に記載の物品。
【請求項１５】
植え込み型歯科補綴物又は義歯コンポーネントである、請求項１に記載の物品。
【請求項１６】
経皮的な皮膚面治療デバイスである、請求項１に記載の物品。
【請求項１７】
創傷治療用デバイスである、請求項１に記載の物品。
【請求項１８】
哺乳類患者に植え込むための抗生物質溶出性物品の製造方法であって、押出成形ベースの添加製造方法を含み、抗生組成物が、ポリマー材料とともに、敷設されることを特徴とする方法。
【請求項１９】
骨成長促進組成物が、ポリマー材料及び抗生組成物と同時に堆積される、請求項１８に記載の方法。
【請求項２０】
押出成形ベースの添加製造マシンで使用するための、三次元の抗生物質溶出性物品が印刷される抗生物質含有ポリマーフィラメント。
【請求項２１】
ポリ（メチルメタクリレート）、アクリロニトリルブタジエンスチレン、ポリカーボネート、アクリロニトリルブタジエンスチレンとポリカーボネートとのブレンド物、ポリエーテルエーテルケトン、ポリエチレン、ポリアミド、ポリ乳酸、ポリフェニルスルホン、ポリスチレン、ナイロン、メチルメタクリレート、ポリラクチド、ポリグリコリド、ポリカプロラクトン、ポリ酸無水物、ポリアミン、ポリウレタン、ポリエステルアミド、ポリオルトエステル、ポリジオキサノン、ポリアセタール、ポリケタール、ポリカーボネート、ポリオルトカーボネート、ポリホスファゼン、スクシナート、ポリ（リンゴ酸）、ポリ（アミノ酸）、ポリビニルピロリドン、ポリエチレングリコール、ポリヒドロキシセルロース、多糖、キチン、キトサン並びにこれらのコポリマー、ブロックコポリマー、マルチブロックコポリマー、ポリエチレングリコール（ＰＥＧ）とのマルチブロックコポリマー、ポリオール、ターポリマー及びこれらの混合物からなる群から選択されるポリマーを含む、請求項２０に記載のフィラメント。
【請求項２２】
ポリ乳酸、ポリカプロラクトン、ナイロン及び高密度ポリエチレンからなる群から選択されるポリマーを含む、請求項２０に記載のフィラメント。
【請求項２３】
少なくとも０．１％質量／質量の抗生物質を含む、請求項２０に記載のフィラメント。
【請求項２４】
前記抗生物質が、アミノグリコシド、アゾール、β−ラクタム系抗生物質、β−ラクタマーゼ阻害剤、セファロスポリン、クロラムフェニコール、クリンダマイシン、フシジン酸、グリコペプチド、マクロライド、メトロニダゾール、ムピロシン、ペニシリン、ポリエン、キノロン、リファマイシン、スルホンアミド、テトラサイクリン及びこれらの組み合わせからなる群から選択される、請求項２３に記載のフィラメント。
【請求項２５】
前記抗生物質の濃度が、０．１〜２５．０％質量／質量の範囲から選択される、請求項２３に記載のフィラメント。
【請求項２６】
前記抗生物質の濃度が、０．５〜１０．０％質量／質量の範囲から選択される、請求項２３に記載のフィラメント。
【請求項２７】
前記抗生物質の濃度が、０．７５〜５．０％質量／質量の範囲から選択される、請求項２３に記載のフィラメント。
【請求項２８】
ヒアルロン酸、β−ＴＣＰ組成物、Ｗｎｔシグナル経路を調節するためのＳＯＳＴアンタゴニスト、Ｗｎｔシグナル経路を調節するためのＷｉｓｅアンタゴニスト、Ｗｎｔシグナル経路を調節するためのＬＲＰアンタゴニスト、（３−（（（４−ｔｅｒｔ−ブチル−ベンジル）−（ピリジン−３−スルホニル）−アミノ）−メチル）−フェノキシ）−酢酸及びその類似体、７−［（４−ブチル−ベンジル）−メタンスルホニル−アミノ］−ヘプタン酸及びその類似体、７−｛［２−（３，５−ジクロロ−フェノキシル）−エチル］−メタンスルホニル−アミノ｝−ヘプタン酸及びその類似体、並びに３−ベンゾチエピン誘導体の１つを含む骨成長促進組成物を追加で含む、請求項２０に記載のフィラメント。
【請求項２９】
融解堆積モデルマシンで使用するための、三次元の抗生物質溶出性物品が印刷される抗生物質含有コア−シェルポリマーフィラメント。
【請求項３０】
少なくとも０．１％質量／質量の抗生組成物を含む、請求項２９に記載のコア−シェルポリマーフィラメント。
【請求項３１】
前記抗生組成物が、アミノグリコシド、アゾール、β−ラクタム系抗生物質、β−ラクタマーゼ阻害剤、セファロスポリン、クロラムフェニコール、クリンダマイシン、フシジン酸、グリコペプチド、マクロライド、メトロニダゾール、ムピロシン、ペニシリン、ポリエン、キノロン、リファマイシン、スルホンアミド、テトラサイクリン、及びこれらの組み合わせからなる群から選択される抗生物質を含む、請求項３０に記載のコア−シェルポリマーフィラメント。
【請求項３２】
前記抗生組成物の濃度が、約０．１〜約２５．０％質量／質量の範囲から選択される、請求項３０に記載のコア−シェルポリマーフィラメント。
【請求項３３】
前記抗生組成物の濃度が、約０．５〜約１０．０％質量／質量の範囲から選択される、請求項３０に記載のコア−シェルポリマーフィラメント。
【請求項３４】
前記抗生組成物の濃度が、約０．７５〜約５．０％質量／質量の範囲から選択される、請求項３０に記載のコア−シェルポリマーフィラメント。
【請求項３５】
ヒアルロン酸、β−ＴＣＰ組成物、Ｗｎｔシグナル経路を調節するためのＳＯＳＴアンタゴニスト、Ｗｎｔシグナル経路を調節するためのＷｉｓｅアンタゴニスト、Ｗｎｔシグナル経路を調節するためのＬＲＰアンタゴニスト、（３−（（（４−ｔｅｒｔ−ブチル−ベンジル）−（ピリジン−３−スルホニル）−アミノ）−メチル）−フェノキシ）−酢酸及びその類似体、７−［（４−ブチル−ベンジル）−メタンスルホニル−アミノ］−ヘプタン酸及びその類似体、７−｛［２−（３，５−ジクロロ−フェノキシル）−エチル］−メタンスルホニル−アミノ｝−ヘプタン酸及びその類似体、並びに３−ベンゾチエピン誘導体の１つを含む骨成長促進組成物を追加で含む、請求項２９に記載のコア−シェルポリマーフィラメント。
【手続補正２】
【補正対象書類名】明細書
【補正対象項目名】００５３
【補正方法】変更
【補正の内容】
【００５３】
【表１４】
2015536726.tif 000001
本発明の好ましい態様は、以下の通りである。
１．ポリマー材料を選択された抗生組成物と同時に堆積させる付加製造工程で製造される、哺乳類の患者に植え込むための抗生物質溶出性物品。
２．前記付加製造工程が、溶融ポリマー堆積、粒状材料の結合及び可溶化したポリマー材料の光重合の１つである、上記１に記載の物品。
３．前記付加製造工程が、融解堆積法である、上記１に記載の物品。
４．前記付加製造工程が、選択的レーザ焼結法又は選択的加熱焼結法である、上記１に記載の物品。
５．前記付加製造工程が、ＤＬＰ法又はステレオリソグラフィ法である、上記１に記載の物品。
６．前記ポリマー材料が、ポリ（メチルメタクリレート）、アクリロニトリルブタジエンスチレン、ポリカーボネート、アクリロニトリルブタジエンスチレンとポリカーボネートとのブレンド物、ポリエーテルエーテルケトン、ポリエチレン、ポリアミド、ポリ乳酸、ポリフェニルスルホン、ポリスチレン、ナイロン、メチルメタクリレート、ポリラクチド、ポリグリコリド、ポリカプロラクトン、ポリ酸無水物、ポリアミン、ポリウレタン、ポリエステルアミド、ポリオルトエステル、ポリジオキサノン、ポリアセタール、ポリケタール、ポリカーボネート、ポリオルトカーボネート、ポリホスファゼン、スクシナート、ポリ（リンゴ酸）、ポリ（アミノ酸）、ポリビニルピロリドン、ポリエチレングリコール、ポリヒドロキシセルロース、多糖、キチン、キトサン並びにこれらのコポリマー、ブロックコポリマー、マルチブロックコポリマー、ポリエチレングリコール（ＰＥＧ）、ポリオールとのマルチブロックコポリマー、ターポリマー及びそれらの混合物からなる群から選択される、上記１に記載の物品。
７．前記抗生組成物が、アミノグリコシド、アゾール、β−ラクタム系抗生物質、β−ラクタマーゼ阻害剤、セファロスポリン、クロラムフェニコール、クリンダマイシン、フシジン酸、グリコペプチド、マクロライド、メトロニダゾール、ムピロシン、ペニシリン、ポリエン、キノロン、リファマイシン、スルホンアミド、ドキシサイクリン、ミノサイクリン、チゲサイクリンで例示されるテトラサイクリン、トリメトプリル及びこれらの組み合わせの１種以上である、上記１に記載の物品。
８．前記抗生組成物が、トブラマイシン及び／又はゲンタマイシン及び／又はバンコマイシンである、上記１に記載の物品。
９．殺生物性組成物を含む外方コートが設けられる、上記１に記載の物品。
１０．前記殺生物性コーティングが、銀ナノ粒子、亜鉛ピリチオン及びカチオン性ポリマー殺生物剤の１種以上を含む、上記９に記載の物品。
１１．整形外科用骨格コンポーネントである、上記１に記載の物品。
１２．骨成長促進組成物を前記ポリマー材料及び前記抗生組成物と同時に堆積させる、上記１１に記載の物品。
１３．前記骨成長促進組成物を、ヒアルロン酸、β−ＴＣＰ組成物、Ｗｎｔシグナル経路を調節するためのＳＯＳＴ（スクレロスチン）アンタゴニスト、Ｗｎｔシグナル経路を調節するためのＷｉｓｅアンタゴニスト、Ｗｎｔシグナル経路を調節するためのＬＲＰアンタゴニスト、（３−（（（４−ｔｅｒｔ−ブチル−ベンジル）−（ピリジン−３−スルホニル）−アミノ）−メチル）−フェノキシ）−酢酸及びその類似体、７−［（４−ブチル−ベンジル）−メタンスルホニル−アミノ］−ヘプタン酸及びその類似体、７−｛［２−（３，５−ジクロロ−フェノキシル）−エチル］−メタンスルホニル−アミノ｝−ヘプタン酸及びその類似体、３−ベンゾチエピン誘導体からなる群から選択する、上記１２に記載の物品。
１４．骨成長促進組成物を含む外方コートが設けられる、上記１１に記載の物品。
１５．前記骨成長促進組成物を、ヒアルロン酸、β−ＴＣＰ組成物、Ｗｎｔシグナル経路を調節するためのＳＯＳＴ（スクレロスチン）アンタゴニスト、Ｗｎｔシグナル経路を調節するためのＷｉｓｅアンタゴニスト、Ｗｎｔシグナル経路を調節するためのＬＲＰアンタゴニスト、（３−（（（４−ｔｅｒｔ−ブチル−ベンジル）−（ピリジン−３−スルホニル）−アミノ）−メチル）−フェノキシ）−酢酸及びその類似体、７−［（４−ブチル−ベンジル）−メタンスルホニル−アミノ］−ヘプタン酸及びその類似体、７−｛［２−（３，５−ジクロロ−フェノキシル）−エチル］−メタンスルホニル−アミノ｝−ヘプタン酸及びその類似体、３−ベンゾチエピン誘導体からなる群から選択する、上記１４に記載の物品。
１６．整形外科用の関節置換コンポーネントである、上記１１に記載の物品。
１７．植え込み型デバイスのための外部ハードシェルケーシングである、上記１に記載の物品。
１８．心臓ペースメーカー、脊髄刺激装置、神経刺激システム、薬物を脊髄液に送達するためのくも膜下腔薬剤ポンプ、化学療法薬及び／又は鎮痙剤を送達するための注入ポンプ、インスリンポンプ、浸透圧ポンプ並びにヘパリンポンプの１つである、上記１７に記載の物品。
１９．植え込み型歯科補綴物又は義歯コンポーネントである、上記１に記載の物品。
２０．経皮的な皮膚面治療デバイスである、上記１に記載の物品。
２１．創傷治療用デバイスである、上記１に記載の物品。
２２．ポリマー材料を選択された抗生組成物と同時に堆積させる付加製造工程を含む、哺乳類の患者に植え込むための抗生物質溶出性物品の製造方法。
２３．前記付加製造工程が、溶融ポリマー堆積、粒状材料の結合及び可溶化したポリマー材料の光重合の１つである、上記２２に記載の方法。
２４．前記付加製造工程が、熱溶解堆積法である、上記２２に記載の方法。
２５．前記付加製造工程が、選択的レーザ焼結法又は選択的加熱焼結法である、上記２２に記載の方法。
２６．前記付加製造工程が、ＤＬＰ法又はステレオリソグラフィ法である、上記２２に記載の方法。
２７．骨成長促進組成物をポリマー材料及び抗生組成物と同時に堆積させる、上記２２に記載の方法。
２８．融解堆積モデルマシンで使用するための、三次元の抗生物質溶出性物品が印刷される抗生物質含有ポリマーフィラメント。
２９．前記ポリマーが、ポリ（メチルメタクリレート）、アクリロニトリルブタジエンスチレン、ポリカーボネート、アクリロニトリルブタジエンスチレンとポリカーボネートとのブレンド物、ポリエーテルエーテルケトン、ポリエチレン、ポリアミド、ポリ乳酸、ポリフェニルスルホン、ポリスチレン、ナイロン、メチルメタクリレート、ポリラクチド、ポリグリコリド、ポリカプロラクトン、ポリ酸無水物、ポリアミン、ポリウレタン、ポリエステルアミド、ポリオルトエステル、ポリジオキサノン、ポリアセタール、ポリケタール、ポリカーボネート、ポリオルトカーボネート、ポリホスファゼン、スクシナート、ポリ（リンゴ酸）、ポリ（アミノ酸）、ポリビニルピロリドン、ポリエチレングリコール、ポリヒドロキシセルロース、多糖、キチン、キトサン並びにこれらのコポリマー、ブロックコポリマー、マルチブロックコポリマー、ポリエチレングリコール（ＰＥＧ）、ポリオールとのマルチブロックコポリマー、ターポリマー及びこれらの混合物からなる群から選択される、上記２８に記載のフィラメント。
３０．前記ポリマーが、ポリ乳酸、ポリカプロラクトン、ナイロン及び高密度ポリエチレンからなる群から選択される、上記２８に記載のフィラメント。
３１．少なくとも０．１％質量／質量の少なくとも１種の抗生物質を含む、上記２８に記載のフィラメント。
３２．前記抗生物質が、アミノグリコシド、アゾール、β−ラクタム系抗生物質、β−ラクタマーゼ阻害剤、セファロスポリン、クロラムフェニコール、クリンダマイシン、フシジン酸、グリコペプチド、マクロライド、メトロニダゾール、ムピロシン、ペニシリン、ポリエン、キノロン、リファマイシン、スルホンアミド、ドキシサイクリン、ミノサイクリン、チゲサイクリンで例示されるテトラサイクリン、トリメトプリル及びこれらの組み合わせからなる群から選択される、上記２８に記載のフィラメント。
３３．前記少なくとも１種の抗生物質の濃度が、約０．１〜約２５．０％質量／質量の範囲から選択される、上記２８に記載のフィラメント。
３４．前記少なくとも１種の抗生物質の濃度が、約０．５〜約１０．０％質量／質量の範囲から選択される、上記２８に記載のフィラメント。
３５．前記少なくとも１種の抗生物質の濃度が、約０．７５〜約５．０％質量／質量の範囲から選択される、上記２８に記載のフィラメント。
３６．ヒアルロン酸、β−ＴＣＰ組成物、Ｗｎｔシグナル経路を調節するためのＳＯＳＴ（スクレロスチン）アンタゴニスト、Ｗｎｔシグナル経路を調節するためのＷｉｓｅアンタゴニスト、Ｗｎｔシグナル経路を調節するためのＬＲＰアンタゴニスト、（３−（（（４−ｔｅｒｔ−ブチル−ベンジル）−（ピリジン−３−スルホニル）−アミノ）−メチル）−フェノキシ）−酢酸及びその類似体、７−［（４−ブチル−ベンジル）−メタンスルホニル−アミノ］−ヘプタン酸及びその類似体、７−｛［２−（３，５−ジクロロ−フェノキシル）−エチル］−メタンスルホニル−アミノ｝−ヘプタン酸及びその類似体、３−ベンゾチエピン誘導体からなる群から選択される骨成長促進組成物を追加で含む、上記２８に記載のフィラメント。
３７．融解堆積モデルマシンで使用するための、三次元の抗生物質溶出性物品が印刷される抗生物質含有コア−シェルポリマーフィラメント。
３８．少なくとも０．１％質量／質量の少なくとも１種の抗生物質を含む、上記３７に記載のフィラメント。
３９．前記抗生物質が、アミノグリコシド、アゾール、β−ラクタム系抗生物質、β−ラクタマーゼ阻害剤、セファロスポリン、クロラムフェニコール、クリンダマイシン、フシジン酸、グリコペプチド、マクロライド、メトロニダゾール、ムピロシン、ペニシリン、ポリエン、キノロン、リファマイシン、スルホンアミド、ドキシサイクリン、ミノサイクリン、チゲサイクリンで例示されるテトラサイクリン、トリメトプリル及びこれらの組み合わせからなる群から選択される、上記３７に記載のフィラメント。
４０．前記少なくとも１種の抗生物質の濃度が、約０．１〜約２５．０％質量／質量の範囲から選択される、上記３７に記載のフィラメント。
４１．前記少なくとも１種の抗生物質の濃度が、約０．５〜約１０．０％質量／質量の範囲から選択される、上記３７に記載のフィラメント。
４２．前記少なくとも１種の抗生物質の濃度が、約０．７５〜約５．０％質量／質量の範囲から選択される、上記３７に記載のフィラメント。
４３．ヒアルロン酸、β−ＴＣＰ組成物、Ｗｎｔシグナル経路を調節するためのＳＯＳＴ（スクレロスチン）アンタゴニスト、Ｗｎｔシグナル経路を調節するためのＷｉｓｅアンタゴニスト、Ｗｎｔシグナル経路を調節するためのＬＲＰアンタゴニスト、（３−（（（４−ｔｅｒｔ−ブチル−ベンジル）−（ピリジン−３−スルホニル）−アミノ）−メチル）−フェノキシ）−酢酸及びその類似体、７−［（４−ブチル−ベンジル）−メタンスルホニル−アミノ］−ヘプタン酸及びその類似体、７−｛［２−（３，５−ジクロロ−フェノキシル）−エチル］−メタンスルホニル−アミノ｝−ヘプタン酸及びその類似体、３−ベンゾチエピン誘導体からなる群から選択される骨成長促進組成物を追加で含む、上記３７に記載のフィラメント。
４４．選択的レーザ焼結マシン、選択的レーザ液化マシン、選択的加熱焼結マシン及び電子ビーム液化マシンのいずれかで使用するための、三次元の抗生物質溶出性物品が印刷される抗生物質含有ポリマー粒状粉末。
４５．前記ポリマーが、ポリ（メチルメタクリレート）、アクリロニトリルブタジエンスチレン、ポリカーボネート、アクリロニトリルブタジエンスチレンとポリカーボネートとのブレンド物、ポリエーテルエーテルケトン、ポリエチレン、ポリアミド、ポリ乳酸、ポリフェニルスルホン、ポリスチレン、ナイロン、メチルメタクリレート、ポリラクチド、ポリグリコリド、ポリカプロラクトン、ポリ酸無水物、ポリアミン、ポリウレタン、ポリエステルアミド、ポリオルトエステル、ポリジオキサノン、ポリアセタール、ポリケタール、ポリカーボネート、ポリオルトカーボネート、ポリホスファゼン、スクシナート、ポリ（リンゴ酸）、ポリ（アミノ酸）、ポリビニルピロリドン、ポリエチレングリコール、ポリヒドロキシセルロース、多糖、キチン、キトサン並びにこれらのコポリマー、ブロックコポリマー、マルチブロックコポリマー、ポリエチレングリコール（ＰＥＧ）、ポリオールとのマルチブロックコポリマー、ターポリマー及び混合物からなる群から選択される、上記４４に記載の粒状粉末。
４６．前記ポリマーが、ポリ乳酸、ポリカプロラクトン、ナイロン及び高密度ポリエチレンからなる群から選択される、上記４４に記載の粒状粉末。
４７．少なくとも０．１％質量／質量の少なくとも１種の抗生物質を含む、上記４４に記載の粒状粉末。
４８．前記抗生物質が、アミノグリコシド、アゾール、β−ラクタム系抗生物質、β−ラクタマーゼ阻害剤、セファロスポリン、クロラムフェニコール、クリンダマイシン、フシジン酸、グリコペプチド、マクロライド、メトロニダゾール、ムピロシン、ペニシリン、ポリエン、キノロン、リファマイシン、スルホンアミド、ドキシサイクリン、ミノサイクリン、チゲサイクリンで例示されるテトラサイクリン、トリメトプリル及びこれらの組み合わせからなる群から選択される、上記４４に記載の粒状粉末。
４９．前記少なくとも１種の抗生物質の濃度が約０．１〜約２５．０％質量／質量の範囲から選択される、上記４４に記載の粒状粉末。
５０．前記少なくとも１種の抗生物質の濃度が、約０．５〜約１０．０％質量／質量の範囲から選択される、上記４４に記載の粒状粉末。
５１．前記少なくとも１種の抗生物質の濃度が、約０．７５〜約５．０％質量／質量の範囲から選択される、上記４４に記載の粒状粉末。
５２．ヒアルロン酸、β−ＴＣＰ組成物、Ｗｎｔシグナル経路を調節するためのＳＯＳＴ（スクレロスチン）アンタゴニスト、Ｗｎｔシグナル経路を調節するためのＷｉｓｅアンタゴニスト、Ｗｎｔシグナル経路を調節するためのＬＲＰアンタゴニスト、（３−（（（４−ｔｅｒｔ−ブチル−ベンジル）−（ピリジン−３−スルホニル）−アミノ）−メチル）−フェノキシ）−酢酸及びその類似体、７−［（４−ブチル−ベンジル）−メタンスルホニル−アミノ］−ヘプタン酸及びその類似体、７−｛［２−（３，５−ジクロロ−フェノキシル）−エチル］−メタンスルホニル−アミノ｝−ヘプタン酸及びその類似体、３−ベンゾチエピン誘導体からなる群から選択される骨成長促進組成物を追加で含む、上記４４に記載の粒状粉末。